(57)【要約】【課題】アナログとディジタルのマルチメディア信号が共存するシステム環境であっても、マルチメディア信号を復元可能な状態にパケット化することが可能なデータパケット化装置を提供する。【解決手段】ＡＤＦ判定部１０１は、ＳＤＩ信号の補助データにＡＤＦデータが含まれるか否かを判定することで、入力された補助データがディジタルＶＡＮＣ信号であるか否かを判定する。制御部１０２は、ＡＤＦ判定部１０１の判定結果に基づいてスイッチ１０３，１０４を切り替え制御し、ディジタルＶＡＮＣ信号の場合には、そのままＰＥＳ化部２０に出力し、一方、アナログＶＢＩ信号の場合には、これをＶＡＮＣパケット化部１０５にてディジタルＶＡＮＣ信号のパケットフォーマットのデータに変換して、ＰＥＳ化部２０に出力するようにしたものである。【選択図】    図１
2004289537.tif 000002
【特許請求の範囲】
【請求項１】
少なくとも映像と音声の情報を有するマルチメディア信号をパケットデータに変換するデータパケット化装置において、
前記マルチメディア信号が含む各メディアの情報を、それぞれに対応する処理により圧縮する圧縮処理手段と、
この圧縮処理手段にて圧縮された各メディアの情報を、それぞれパケットデータに変換する第１のパケット化手段と、
前記マルチメディア信号の種別を判定する判定手段と、
この判定手段の判定結果に応じて、前記マルチメディア信号に含まれる制御データを予め設定された形式のデータに変換する形式変換手段と、
前記形式変換手段により得られたデータをパケットデータに変換する第２のパケット化手段と、
前記第１のパケット化手段により得られたパケットデータと前記第１のパケット化手段により得られたパケットデータとを多重化する多重化手段とを具備することを特徴とするデータパケット化装置。
【請求項２】
少なくとも映像と音声の情報を有するマルチメディア信号をパケットデータに変換するデータパケット化装置において、
前記マルチメディア信号が含む各メディアの情報を、それぞれに対応する処理により圧縮する圧縮処理手段と、
この圧縮処理手段にて圧縮された各メディアの情報を、それぞれパケットデータに変換する第１のパケット化手段と、
前記マルチメディア信号の種別を判定する判定手段と、
前記マルチメディア信号に含まれる制御データを予め設定された形式のデータに変換する形式変換手段と、
前記判定手段の判定結果に応じて、前記マルチメディア信号に含まれる制御データと前記形式変換手段により得られたデータとのうち、いずれか一方をパケットデータに変換する第２のパケット化手段と、
前記第１のパケット化手段により得られたパケットデータと前記第１のパケット化手段により得られたパケットデータとを多重化する多重化手段とを具備することを特徴とするデータパケット化装置。
【発明の詳細な説明】
【０００１】
【発明の属する技術分野】
この発明は、例えば放送局内外において、映像データや音声データを蓄積するなどのために、上記データをパケット化するデータパケット化装置に関する。
【０００２】
【従来の技術】
周知のように、アナログのマルチメディア信号をＭＰＥＧ（Ｍｏｖｉｎｇ  Ｐｉｃｔｕｒｅ  Ｅｘｐｅｒｔｓ  Ｇｒｏｕｐ）２エンコーダで圧縮して記録する際は、アナログＶＢＩ信号を映像信号と同様に圧縮して、垂直ブランキングごと記録していた。そのため、圧縮するビットレートに依存してＶＢＩ信号情報が劣化してしまうので、ビットレートを下げすぎると、再現ができなくなるような問題があった。
【０００３】
また、アナログとディジタルのマルチメディア信号が共存するシステム環境においては、素材によって同じライン（水平のライン）に、アナログＶＢＩ信号が重畳されて入力される場合と、ディジタルＶＡＮＣ信号が重畳されて入力される場合とがある。
【０００４】
このようなシステム環境において、映像／音声のマルチメディア信号を蓄積するために、この信号をパケット化する場合、アナログＶＢＩ信号はそのままブランキング期間を圧縮するのに対して、ディジタルＶＡＮＣ信号の場合は、決められたラインに重畳された信号を非圧縮でパケット化して、ＭＰＥＧ規格に準拠してＰＥＳ（Ｐａｃｋｅｔ  Ｅｌｅｍｅｎｔａｒｙ  Ｓｔｒｅａｍ）化するようにしている。
【０００５】
このように、互いにパケット化する処理形式が異なっているため、アナログとディジタルのマルチメディア信号が共存するシステム環境においては、正しくマルチメディア信号をパケット化できない虞があり、これによりパケット化したデータからマルチメディア信号を復元できないという問題が生じた。
【０００６】
【発明が解決しようとする課題】
従来のデータパケット化装置では、アナログとディジタルのマルチメディア信号が共存するシステム環境において、マルチメディア信号を復元可能な状態でパケット化できないという問題があった。
【０００７】
この発明は上記の問題を解決すべくなされたもので、アナログとディジタルのマルチメディア信号が共存するシステム環境であっても、マルチメディア信号を復元可能な状態にパケット化することが可能なデータパケット化装置を提供することを目的とする。
【０００８】
【課題を解決するための手段】
上記の目的を達成するために、この発明は、少なくとも映像と音声の情報を有するマルチメディア信号をパケットデータに変換するデータパケット化装置において、マルチメディア信号が含む各メディアの情報を、それぞれに対応する処理により圧縮する圧縮処理手段と、この圧縮処理手段にて圧縮された各メディアの情報を、それぞれパケットデータに変換する第１のパケット化手段と、マルチメディア信号の種別を判定する判定手段と、この判定手段の判定結果に応じて、マルチメディア信号に含まれる制御データを予め設定された形式のデータに変換する形式変換手段と、形式変換手段により得られたデータをパケットデータに変換する第２のパケット化手段と、第１のパケット化手段により得られたパケットデータと第１のパケット化手段により得られたパケットデータとを多重化する多重化手段とを具備して構成するようにした。
【０００９】
またこの発明は、少なくとも映像と音声の情報を有するマルチメディア信号をパケットデータに変換するデータパケット化装置において、マルチメディア信号が含む各メディアの情報を、それぞれに対応する処理により圧縮する圧縮処理手段と、この圧縮処理手段にて圧縮された各メディアの情報を、それぞれパケットデータに変換する第１のパケット化手段と、マルチメディア信号の種別を判定する判定手段と、この判定手段の判定結果に応じて、マルチメディア信号に含まれる制御データを予め設定された形式のデータに変換する形式変換手段と、判定手段の判定結果に応じて、マルチメディア信号に含まれる制御データと形式変換手段により得られたデータとのうち、いずれか一方をパケットデータに変換する第２のパケット化手段と、第１のパケット化手段により得られたパケットデータと第１のパケット化手段により得られたパケットデータとを多重化する多重化手段とを具備して構成するようにした。
【００１０】
上記構成のデータパケット化装置では、マルチメディア信号に含まれる制御データを、マルチメディア信号の種別に応じて予め設定された形式のデータに変換し、パケットデータに変換するようにしている。
【００１１】
したがって、上記構成のデータパケット化装置によれば、マルチメディア信号の種別によらず、制御データが同じ形式のパケットデータに変換されることになるので、例えばアナログとディジタルのマルチメディア信号が共存するシステム環境であっても、マルチメディア信号を復元可能な状態にパケット化することができる。
【００１２】
【発明の実施の形態】
以下、図面を参照して、この発明の一実施形態について説明する。
図１は、この発明の一実施形態に係わるデータパケット化装置の構成を示すものである。
【００１３】
データパケット化装置は、ＳＤＩ（Ｓｅｒｉａｌ  Ｄｉｇｉｔａｌ  Ｉｎｔｅｒｆａｃｅ）信号をパケット化したデータに変換するものであって、補助データ処理部１００、圧縮処理部１１，１２、ＰＥＳ（Ｐａｃｋｅｔ  Ｅｌｅｍｅｎｔａｒｙ  Ｓｔｒｅａｍ）化部２０，２１，２２、多重化部３０を備えている。
【００１４】
ＳＤＩ信号は、映像や音声などの主データと、局内制御などに用いる制御信号などの補助データからなる。また、ＳＤＩ信号には、アナログのマルチメディア信号とディジタルのマルチメディア信号とがあり、図２に示すように、アナログ信号の場合は、補助データとしてアナログＶＢＩ信号（図２（ａ））を構成し、一方、ディジタル信号の場合は、補助データとしてディジタルＶＡＮＣ信号（図２（ｂ））を構成する。
【００１５】
圧縮処理部１１は、ＳＤＩ信号に対して、映像データ用の圧縮処理を施す。この圧縮結果は、ＰＥＳ化部２１にてＰＥＳパケット化され、多重化部３０に出力される。
【００１６】
圧縮処理部１２は、ＳＤＩ信号に対して、音声データ用の圧縮処理を施す。この圧縮結果は、ＰＥＳ化部２２にてＰＥＳパケット化され、多重化部３０に出力される。
【００１７】
補助データ処理部１００は、ＡＤＦ（Ａｎｃｉｌｌａｒｙ  Ｄａｔａ  Ｆｌａｇ）判定部１０１と、制御部１０２と、スイッチ１０３，１０４と、ＶＡＮＣパケット化部１０５とを備える。
【００１８】
ＡＤＦ判定部１０１は、ＳＤＩ信号の補助データにＡＤＦデータが含まれるか否かを判定することで、入力された補助データがディジタルＶＡＮＣ信号であるか否かを判定し、この判定結果を制御部１０２に出力する。
【００１９】
より具体的には、図２に示したように、主データの終端を示すＥＡＶ直後の３ｗｏｒｄｓで判定する。補助データとして、アナログＶＢＩ信号が入力される場合には、「３ＦＦ」、「０００」以外のデータが存在し、一方、ディジタルＶＡＮＣ信号が入力される場合には、ＡＤＦデータである「３ＦＦ」、「０００」、「０００」のデータが存在する。
【００２０】
制御部１０２は、上記ＡＤＦ判定部１０１の判定結果と、オペレータからの指示情報とが入力され、これらに基づいてスイッチ１０３，１０４を切り替え制御するものである。
【００２１】
そして、制御部１０２は、上記ＡＤＦ判定部１０１がディジタルＶＡＮＣ信号であると判定した場合には、スイッチ１０３，１０４を「Ａ」側に切り替え、一方、上記ＡＤＦ判定部１０１がディジタルＶＡＮＣ信号でないと判定した場合には、スイッチ１０３，１０４を「Ｂ」側に切り替える。
【００２２】
また、制御部１０２は、オペレータから指示情報が与えられる場合には、ＡＤＦ判定部１０１の判定結果によらず、上記指示情報にしたがった切り替え制御を行う。
【００２３】
スイッチ１０３は、ＳＤＩ信号が入力される入力端子と、２つの出力端子「Ａ」、「Ｂ」を備え、制御部１０２の指示に従って、入力端子を出力端子「Ａ」、「Ｂ」のいずれか一方に接続する。
【００２４】
スイッチ１０４は、２つの入力端子「Ａ」、「Ｂ」と、ＰＥＳ化部２０に接続される出力端子を備え、制御部１０２の指示に従って、出力端子を入力端子「Ａ」、「Ｂ」のいずれか一方に接続する。
【００２５】
なお、スイッチ１０３の出力端子「Ａ」とスイッチ１０４の入力端子「Ａ」とが接続される。また、スイッチ１０３の出力端子「Ｂ」とスイッチ１０４の入力端子「Ｂ」とは、ＶＡＮＣパケット化部１０５を介して接続される。
【００２６】
ＶＡＮＣパケット化部１０５は、スイッチ１０３の出力端子「Ｂ」を通じて入力されるアナログＶＢＩ信号を、ディジタルＶＡＮＣ信号のパケットフォーマットのデータに変換するものである。
【００２７】
ＰＥＳ化部２０は、スイッチ１０４から出力される、ディジタルＶＡＮＣ信号のパケットフォーマットのデータを、ＰＥＳパケット化し、多重化部３０に出力する。
【００２８】
多重化部３０は、ＰＥＳ化部２０より出力されるＰＥＳパケットデータのうち補助データに相当するデータを抽出し、ＰＥＳ化部２１より出力されるＰＥＳパケットデータのうち映像データに相当するデータを抽出し、そしてＰＥＳ化部２２より出力されるＰＥＳパケットデータのうち音声データに相当するデータを抽出し、これらの抽出した３つのデータを多重化して、蓄積可能なパケットデータを生成する。
【００２９】
次に、上記構成のデータパケット化装置の動作について説明する。
【００３０】
まず、当該データパケット化装置に、ＳＤＩ信号としてディジタルのマルチメディア信号が入力される場合の動作について説明する。
【００３１】
圧縮処理部１１に入力されたＳＤＩ信号は、ここで映像データ用の圧縮処理が施された後、ＰＥＳ化部２１にてＰＥＳパケット化され、多重化部３０に出力される。
【００３２】
圧縮処理部１２に入力されたＳＤＩ信号は、ここで音声データ用の圧縮処理が施された後、ＰＥＳ化部２２にてＰＥＳパケット化され、多重化部３０に出力される。
【００３３】
補助データ処理部１００に入力されたＳＤＩ信号は、ＡＤＦ判定部１０１とスイッチ１０３とに入力される。
【００３４】
そして、ＡＤＦ判定部１０１により、ＳＤＩ信号の補助データにＡＤＦデータが含まれるか否かが判定される。
【００３５】
なお、ここでは、ＳＤＩ信号として、ディジタルのマルチメディア信号が入力されていることより、ＡＤＦ判定部１０１が、図３（ａ）に示すようなディジタルＶＡＮＣ信号からＡＤＦデータが含まれていると判定し、この判定結果が制御部１０２に出力される。
【００３６】
これに対して、制御部１０２は、ＡＤＦデータが含まれているとの判定結果により、スイッチ１０３，１０４を「Ａ」側に切り替え制御する。これによりＳＤＩ信号は、そのままスイッチ１０４を介してＰＥＳ化部２０に出力される。
【００３７】
そして、ＰＥＳ化部２０により、図３（ａ）に示したディジタルＶＡＮＣ信号が図３（ｂ）に示すようにＰＥＳパケット化され、多重化部３０に出力される。
【００３８】
次に多重化部３０により、ＰＥＳ化部２０より出力されるＰＥＳパケットデータのうち補助データに相当するデータが抽出され、ＰＥＳ化部２１より出力されるＰＥＳパケットデータのうち映像データに相当するデータが抽出され、そしてＰＥＳ化部２２より出力されるＰＥＳパケットデータのうち音声データに相当するデータが抽出される。
【００３９】
そして、多重化部３０により、これらの抽出された３つのデータは多重化されて、蓄積可能なパケットデータが生成され、後段のデータ蓄積装置（図示しない）に蓄積される。
【００４０】
次に、当該データパケット化装置に、ＳＤＩ信号としてアナログのマルチメディア信号が入力される場合の動作について説明する。
【００４１】
圧縮処理部１１に入力されたＳＤＩ信号は、ここで映像データ用の圧縮処理が施された後、ＰＥＳ化部２１にてＰＥＳパケット化され、多重化部３０に出力される。
【００４２】
圧縮処理部１２に入力されたＳＤＩ信号は、ここで音声データ用の圧縮処理が施された後、ＰＥＳ化部２２にてＰＥＳパケット化され、多重化部３０に出力される。
【００４３】
補助データ処理部１００に入力されたＳＤＩ信号は、ＡＤＦ判定部１０１とスイッチ１０３とに入力される。
【００４４】
そして、ＡＤＦ判定部１０１により、ＳＤＩ信号の補助データにＡＤＦデータが含まれるか否かが判定される。
【００４５】
なお、ここでは、ＳＤＩ信号として、アナログのマルチメディア信号が入力されていることより、ＡＤＦ判定部１０１が、図４（ａ）に示すようなアナログＶＢＩ信号からＡＤＦデータが含まれていないと判定し、この判定結果が制御部１０２に出力される。
【００４６】
これに対して、制御部１０２は、ＡＤＦデータが含まれていないとの判定結果により、スイッチ１０３，１０４を「Ｂ」側に切り替え制御する。これによりＳＤＩ信号は、ＶＡＮＣパケット化部１０５に出力される。
【００４７】
そして、ＶＡＮＣパケット化部１０５では、アナログＶＢＩ信号が図４（ｂ）に示すような、ディジタルＶＡＮＣ信号のパケットフォーマットのデータに変換される。
【００４８】
この変換された補助データは、スイッチ１０４を介してＰＥＳ化部２０に出力され、図４（ｂ）に示したデータが図３（ｃ）に示すようにＰＥＳパケット化され、多重化部３０に出力される。
【００４９】
次に多重化部３０により、ＰＥＳ化部２０より出力されるＰＥＳパケットデータのうち補助データに相当するデータが抽出され、ＰＥＳ化部２１より出力されるＰＥＳパケットデータのうち映像データに相当するデータが抽出され、そしてＰＥＳ化部２２より出力されるＰＥＳパケットデータのうち音声データに相当するデータが抽出される。
【００５０】
そして、多重化部３０により、これらの抽出された３つのデータは多重化されて、蓄積可能なパケットデータが生成され、後段のデータ蓄積装置（図示しない）に蓄積される。
【００５１】
以上のように、上記構成のデータパケット化装置では、ＳＤＩ（マルチメディア）信号がアナログかディジタルかを判定し、アナログの場合には、ＶＡＮＣパケット化部１０５によって、アナログＶＢＩ信号をディジタルＶＡＮＣ信号のパケットフォーマットのデータに変換し、ＰＥＳパケット化するようにしている。
【００５２】
したがって、上記構成のデータパケット化装置によれば、補助データがアナログＶＢＩ信号であってもディジタルＶＡＮＣ信号であっても、補助データが同じ形式のＰＥＳパケットに変換されることになるので、アナログとディジタルのマルチメディア信号が共存するシステム環境であっても、マルチメディア信号を復元可能な状態にパケット化することができる。
【００５３】
尚、この発明は上記実施の形態に限定されるものではない。
【００５４】
例えば、上記構成では、制御部１０２がマルチメディア信号の種別に応じてスイッチ１０３を制御し、選択的に補助データの形式変換を行うようにしたが、これに代わって例えば、マルチメディア信号の種別に関係なく補助データの形式変換を行い、マルチメディア信号の種別に応じて、補助データの形式を変換したものと変換しないもののうち、いずれか一方をＰＥＳ化部２０にてＰＥＳパケットに変換するようにしてもよい。
【００５５】
その他、この発明の要旨を逸脱しない範囲で種々の変形を施しても同様に実施可能であることはいうまでもない。
【００５６】
【発明の効果】
以上述べたように、この発明では、マルチメディア信号に含まれる制御データを、マルチメディア信号の種別に応じて予め設定された形式のデータに変換し、パケットデータに変換するようにしている。
【００５７】
したがって、この発明によれば、マルチメディア信号の種別によらず、制御データが同じ形式のパケットデータに変換されることになるので、例えばアナログとディジタルのマルチメディア信号が共存するシステム環境であっても、マルチメディア信号を復元可能な状態にパケット化することが可能なデータパケット化装置を提供できる。
【図面の簡単な説明】
【図１】この発明に係わるデータパケット化装置の一実施形態の構成を示す回路ブロック図。
【図２】図１に示したデータパケット化装置で扱うマルチメディア信号の補助データの構成を示す図。
【図３】この発明に係わるデータパケット化装置の動作を説明するための図。
【図４】この発明に係わるデータパケット化装置の動作を説明するための図。
【符号の説明】
１１，１２…圧縮処理部、２０，２１，２２…ＰＥＳ化部、３０…多重化部、、１００…補助データ処理部、１０１…ＡＤＦ判定部、１０２…制御部、１０３，１０４…スイッチ、１０５…ＶＡＮＣパケット化部。
【図１】
2004289537.tif 000003
【図２】
2004289537.tif 000004
【図３】
2004289537.tif 000005
【図４】
2004289537.tif 000006